(57)【要約】【課題】水位検知装置にゴミが付着した場合等に、水位検知装置を誤検知しない正常状態に戻すことができる食器洗浄機を提供すること。【解決手段】食器洗浄機は、食器類を収容する洗浄槽と、洗浄槽への給水を行う給水装置と、洗浄槽から排水を行う排水装置と、洗浄槽内の水位が規定水位に達したことを検知する水位検知装置と、時間を計測する計測装置と、計測装置による計測時間と水位検知装置による規定水位の検知とに基づいて給水装置を制御する制御装置と、を備え、制御装置は、給水装置による給水を開始してから水位検知装置が規定水位を検知するまでの時間が基準時間以内だった場合、排水装置による排水を行った後、再び給水装置による給水を行うものである。【選択図】図１
2020110716.tif 000002
【特許請求の範囲】
【請求項１】
食器類を収容する洗浄槽と、
前記洗浄槽への給水を行う給水装置と、
前記洗浄槽から排水を行う排水装置と、
前記洗浄槽内の水位が規定水位に達したことを検知する水位検知装置と、
時間を計測する計測装置と、
前記計測装置による計測時間と前記水位検知装置による前記規定水位の検知とに基づいて前記給水装置を制御する制御装置と、を備え、
前記制御装置は、
前記給水装置による給水を開始してから前記水位検知装置が前記規定水位を検知するまでの時間が基準時間以内だった場合、前記排水装置による排水を行った後、再び前記給水装置による給水を行う
食器洗浄機。
【発明の詳細な説明】
【技術分野】
【０００１】
本発明は、洗浄槽内の水位を検知する水位検知装置を備えた食器洗浄機に関するものである。
【背景技術】
【０００２】
従来、洗浄槽内の水位を検知する水位検知装置と、時間を計測する計測手段と、を備え、給水開始後一定時間が経過しても洗浄槽内の水位が規定水位に達しない場合に、異常状態と判別し、異常状態を報知する食器洗浄機がある（例えば、特許文献１参照）。
【０００３】
特許文献１の食器洗浄機によれば、洗浄槽内に給水中であるにもかかわらず、何らかの原因で水が供給されない場合を検知し、ユーザーに異常状態を報知することができる。
【先行技術文献】
【特許文献】
【０００４】
【特許文献１】特開昭６３−１９７４２９号公報
【発明の概要】
【発明が解決しようとする課題】
【０００５】
しかし、特許文献１に記載の食器洗浄機は、例えば水位検知装置にゴミが付着した場合等、実際は水位が規定水位に達していないにもかかわらず、水位が規定水位に達したと水位検知装置が誤検知してしまうことがあったが、そのような場合に水位検知装置を誤検知しない正常状態に戻すことができないという課題があった。
【０００６】
本発明は、以上のような課題を解決するためになされたもので、水位検知装置にゴミが付着した場合等に、水位検知装置を誤検知しない正常状態に戻すことができる食器洗浄機を提供することを目的としている。
【課題を解決するための手段】
【０００７】
本発明に係る食器洗浄機は、食器類を収容する洗浄槽と、前記洗浄槽への給水を行う給水装置と、前記洗浄槽から排水を行う排水装置と、前記洗浄槽内の水位が規定水位に達したことを検知する水位検知装置と、時間を計測する計測装置と、前記計測装置による計測時間と前記水位検知装置による前記規定水位の検知とに基づいて前記給水装置を制御する制御装置と、を備え、前記制御装置は、前記給水装置による給水を開始してから前記水位検知装置が前記規定水位を検知するまでの時間が基準時間以内だった場合、前記排水装置による排水を行った後、再び前記給水装置による給水を行うものである。
【発明の効果】
【０００８】
本発明に係る食器洗浄機によれば、制御装置は、給水装置による給水を開始してから水位検知装置が規定水位を検知するまでの時間が基準時間以内だった場合、排水装置による排水を行った後、再び給水装置による給水を行うものである。そのため、例えば規定水位センサにゴミが付着した場合等の状態が解消される場合があり、水位検知装置を誤検知しない正常状態に戻すことができる。
【図面の簡単な説明】
【０００９】
【図１】本発明の実施の形態１に係る食器洗浄機の概略構成を示す右側方から見た断面図である。
【図２】本発明の実施の形態１に係る食器洗浄機の正面図である。
【図３】本発明の実施の形態１に係る食器洗浄機の機能ブロック図である。
【図４】本発明の実施の形態１に係る食器洗浄機の水位検知装置を説明する図である。
【図５】本発明の実施の形態１に係る食器洗浄機１の洗浄動作を示すフローチャートである。
【図６】本発明の実施の形態１に係る食器洗浄機１の洗浄工程を示すフローチャートである。
【図７】本発明の実施の形態１に係る食器洗浄機１の排水処理を示すフローチャートである。
【図８】本発明の実施の形態１に係る食器洗浄機１のすすぎ工程を示すフローチャートである。
【図９】本発明の実施の形態１に係る食器洗浄機１の加熱すすぎ工程を示すフローチャートである。
【図１０】本発明の実施の形態１に係る食器洗浄機１の給水処理を示すフローチャートである。
【図１１】本発明の実施の形態２に係る食器洗浄機１の給水処理を示すフローチャートである。
【図１２】本発明の実施の形態３に係る食器洗浄機の概略構成を示す右側方から見た第１の断面図である。
【図１３】本発明の実施の形態３に係る食器かごおよび洗剤入れを示す斜視図である。
【図１４ａ】本発明の実施の形態３に係る洗剤入れの概略構成を平面視した図である。
【図１４ｂ】本発明の実施の形態３に係る洗剤入れの概略構成を側方から見た図である。
【図１５】本発明の実施の形態３に係る食器洗浄機の概略構成を示す右側方から見た第２の断面図である。
【図１６】本発明の実施の形態４に係る食器洗浄機１の洗浄工程を示すフローチャートである。
【図１７】本発明の実施の形態４に係る食器洗浄機１の給水処理を示すフローチャートである。
【図１８】本発明の実施の形態５に係る食器洗浄機１の洗浄工程を示すフローチャートである。
【図１９】本発明の実施の形態６に係る食器洗浄機１のすすぎ工程を示すフローチャートである。
【図２０】本発明の実施の形態６に係る食器洗浄機１の第２給水処理を示すフローチャートである。
【図２１】本発明の実施の形態７に係る食器洗浄機１の給水処理を示すフローチャートである。
【図２２】本発明の実施の形態８に係る食器洗浄機１の給水処理を示すフローチャートである。
【図２３】本発明の実施の形態８に係る食器洗浄機１の洗浄動作を示すフローチャートである。
【発明を実施するための形態】
【００１０】
以下、本発明の実施の形態を図面に基づいて説明する。なお、以下に説明する実施の形態によって本発明が限定されるものではない。また、以下の図面では各構成部材の大きさの関係が実際のものとは異なる場合がある。また、以下の説明において、理解を容易にするために方向を表す用語（例えば「上」、「下」、「左」、「右」、「前」、「後」等）を適宜用いるが、これは説明のためのものであって、これらの用語は本願発明を限定するものではない。
【００１１】
実施の形態１．
図１は、本発明の実施の形態１に係る食器洗浄機１の概略構成を示す右側方から見た断面図である。
図１に示すように、本実施の形態に係る食器洗浄機１は、前面が開口した前面開口部を有し、食器洗浄機１の外郭となる筐体２と、上面が開口した上面開口部を有し、食器かご６に載置された食器類７０を収納する洗浄槽３と、洗浄槽３の上面に設けられており、洗浄槽３の上面開口部を開閉する内蓋４と、洗浄槽３の前方に取り付けられており、筐体２内部に設けられた洗浄槽３が取り出される際に開閉する扉５と、扉５の開閉を検知する扉開閉検知装置２６と、を備えている。また、筐体２の内部には、水道水を洗浄槽３に供給する給水弁１０が設けられている。
【００１２】
なお、給水弁１０は、本発明の「給水装置」に相当する。
【００１３】
洗浄槽３は、ほぼ箱体形状を有しており、底面の少なくとも一部に、鉛直下方向に突出した凹部３ａが設けられている。その凹部３ａの四側面のうちいずれかの側面あるいは底面には、洗浄槽３内に貯留されている水の温度を検知する水温検知装置１７と、洗浄槽３内に貯留されている水を加熱する発熱体１２と、がそれぞれ取り付けられている。また、凹部３ａの側面に形成された開口と連通するフロート室２９には、洗浄槽３内に貯留されている水の水位を検知する水位検知装置３０が設けられている。
【００１４】
洗浄槽３の外部には洗浄ポンプ１３が設けられている。洗浄ポンプ１３は、洗浄槽３の凹部３ａと給水配管１３ａで連通しており、洗浄槽３内に貯留されている水を加圧するものである。洗浄ポンプ１３によって加圧された水は、洗浄槽３の底面に設けられた軸部１９を通って、軸部１９に取り付けられた洗浄ノズル４０に送られる。そして、洗浄ノズル４０から水が食器類７０に向けて噴射され、食器類７０が洗浄される。また、洗浄ポンプ１３と同様に、洗浄槽３の外部には排水ポンプ１６が設けられている。排水ポンプ１６は、洗浄槽３の凹部３ａと排水配管１６ａで連通しており、洗浄槽３内に貯留されている水を排水するものである。
【００１５】
なお、排水ポンプ１６は、本発明の「排水装置」に相当する。
【００１６】
また、洗浄槽３の後方には、食器類７０を乾燥させるため洗浄槽３内に空気を供給する送風ファン２２が設けられている。
【００１７】
内蓋４は、筐体２の内面上部に取り付けられている。内蓋４には、リンク機構（図示せず）の一端が取り付けられていて、リンク機構の他端は筐体２の内面上部に取り付けられている。そして、このリンク機構により、筐体２から洗浄槽３が引き出される際に内蓋４が持ち上がり、洗浄槽３を開放することができるようになっている。
【００１８】
これにより、筐体２から洗浄槽３が引き出される際に、洗浄槽３と一緒に内蓋４が引き出されないようになっている。一方で、洗浄槽３が押し込まれたときには、このリンク機構によって内蓋４が下がり、洗浄槽３を閉塞することができるようになっている。
【００１９】
洗浄槽３は、筐体２に設けられた固定レール２１と洗浄槽３に設けた可動レール（図示せず）とにより、正面側に引き出すことで前方に移動させることができるようになっている。また、筐体２には洗浄槽３が必要なとき以外は前方へ移動しないよう、洗浄槽３を筐体２内部に保持するための保持機構１８が設けられている。
【００２０】
洗浄槽３は、筐体２の内部方向に所定の保持位置まで押し込まれると、保持機構１８により所定の位置に保持されるようになっている。このとき保持機構１８は、バネ（図示せず）によって洗浄槽３が引き出し方向とは反対の力で付勢されるようになり、洗浄槽３を保持することができる。
【００２１】
また、扉５の背面と洗浄槽３の前面との間の空間には、食器洗浄機１の動作を制御する制御装置５０が設けられている。
【００２２】
図２は、本発明の実施の形態１に係る食器洗浄機１の正面図である。
図２に示すように、食器洗浄機１の正面には扉５が設けられている。扉５は上部に操作パネル１５を有し、操作パネル１５の右側には操作部７が設けられている。操作部７は、ユーザーの操作指示入力を受け付け、これに対応した操作信号を制御装置５０に出力するものである。操作部７には、食器洗浄機１の電源をＯＮまたはＯＦＦする電源スイッチ８ａと、食器洗浄機１の運転をスタートまたは一時停止させる運転スイッチ８ｂと、扉５を開閉させる扉開閉スイッチ８ｃと、が設けられている。
【００２３】
また、操作パネル１５の中央部には、食器洗浄機１の運転状態等を表示する例えば液晶ディスプレイ等の表示部４１が設けられている。また、操作パネル１５の左側には、洗浄槽３内の空気を食器洗浄機１の外部へ排出する扉排気口５ａと、食器洗浄機１の運転状態等を報知する例えばブザー等の報知装置４２と、が設けられている。
【００２４】
図３は、本発明の実施の形態１に係る食器洗浄機１の機能ブロック図である。
制御装置５０は、例えば、専用のハードウェア、または記憶装置５２に格納されるプログラムを実行するＣＰＵ（Central Processing Unit、中央処理装置、処理装置、演算装置、マイクロプロセッサ、マイクロコンピュータ、プロセッサともいう）で構成されている。
【００２５】
制御装置５０は、ユーザーから操作部７を介して食器洗浄機１への操作指示を受け付けたり、扉開閉検知装置２６等の装置から各種電気信号を受信したりする。そして、制御装置５０は、ユーザーからの操作指示または各種装置等からの電気信号に応じて、食器洗浄機１の動作を制御する。すなわち、制御装置５０は、機器を構成する電気部品のうち少なくとも一つを制御するものである。
【００２６】
また、図３に示すように、制御装置５０は、時間を計測する計測装置５１を備えている。なお、計測装置５１は、制御装置５０の外部に設けられていてもよい。
【００２７】
発熱体駆動回路５７は、制御装置５０からの制御指令を受けて発熱体１２の温度を制御する。給水弁駆動回路５３は、制御装置５０からの制御指令を受けて給水弁１０の開閉等の動作を制御する。洗浄ポンプ駆動回路５４は、制御装置５０からの制御指令を受けて洗浄ポンプ１３の動作を制御する。排水ポンプ駆動回路５５は、制御装置５０からの制御指令を受けて排水ポンプ１６の動作を制御する。送風ファン駆動回路５６は、制御装置５０からの制御指令を受けて送風ファン２２の回転数を制御する。表示部駆動回路５８は、制御装置５０からの制御指令を受けて表示部４１に表示される表示画を制御する。
【００２８】
制御装置５０は、電気配線またはプリント配線等により記憶装置５２と接続されており、記憶装置５２に食器洗浄機１の積算通電時間、積算運転回数、または積算運転時間等の機器情報を記憶させる。
【００２９】
図４は、本発明の実施の形態１に係る食器洗浄機１の水位検知装置３０を説明する図である。
図４に示すように、水位検知装置３０は、フロート室２９内の水に浮かべられた磁石３１を内蔵するフロート３２と、フロート室２９内に設けられ、水位の変動に応じてフロート３２が上下方向に移動するように案内する案内部材３３と、案内部材３３に設けられた規定水位センサ３４およびゼロ水位センサ３５と、を備えている。規定水位センサ３４は、洗浄槽３内が規定水位に達したときに、フロート３２の磁石３１によりＯＮする位置に設けられており、ゼロ水位センサ３５は、洗浄槽３内に水が貯留されていないときに、フロート３２の磁石３１によりＯＮする位置に設けられている。ここで、規定水位とは、食器かご６に載置された食器類７０の洗浄が可能な水量が洗浄槽３内に貯留したときの水位である。
【００３０】
そして、洗浄槽３への給水を開始後、洗浄槽３内の水位が規定水位に達したら、フロート３２の磁石３１が規定水位センサ３４に近づき、規定水位センサ３４がＯＮする。食器洗浄機１は、制御装置５０がこのＯＮ信号を水位検知装置３０の規定水位センサ３４から受信することにより、洗浄槽３内の水位が規定水位に達したことを検知する。
【００３１】
図５は、本発明の実施の形態１に係る食器洗浄機１の洗浄動作を示すフローチャートである。
次に、本実施の形態１に係る食器洗浄機１の洗浄動作について説明する。
ユーザーは、洗浄槽３内に収納された食器かご６に食器類７０を配置し、洗浄槽３内に適量の洗剤を入れた後に、操作部７の運転スイッチ８ｂを押すと、洗浄工程が開始される（ステップＳ１００）。
【００３２】
図６は、本発明の実施の形態１に係る食器洗浄機１の洗浄工程を示すフローチャートである。
洗浄工程が開始されると、制御装置５０は、洗浄槽３への給水処理を開始する（ステップＳ１０１）。なお、給水処理の詳細については後述する。
【００３３】
制御装置５０は、洗浄槽３への給水処理が正常終了した後、洗浄ポンプ駆動回路５４により洗浄ポンプ１３を動作させて（ステップＳ１０２）、洗浄ポンプ１３により圧送された洗浄用水（洗剤を含んだ水）を洗浄ノズル４０から食器かご６に配置された食器類７０に向かって噴射すると共に、計測装置５１により時間の計測を開始する。さらに、制御装置５０は、発熱体駆動回路５７により発熱体１２への通電を開始する（ステップＳ１０３）。
【００３４】
そして、発熱体１２への通電によって洗浄用水が加熱され、洗浄用水は所定の基準水温Ｔ１（例えば、５５℃以上）になるまで加熱される（ステップＳ１０５〜Ｓ１０７）。
【００３５】
そして、洗浄用水が基準水温Ｔ１以上となり、これを検知した水温検知装置１７から検知信号を制御装置５０が受信したら（ステップＳ１０５のＹｅｓ）、制御装置５０は発熱体駆動回路５７により発熱体１２への通電を停止させる（ステップＳ１０６、Ｓ１０７）。
【００３６】
制御装置５０は、計測装置５１の計測時間が所定の設定時間ｔ１（例えば２０分）経過したら、つまり、洗浄ポンプ１３の動作開始から設定時間ｔ１経過したら（ステップＳ１０４のＹｅｓ）、ステップＳ１０８に進む。
【００３７】
ステップＳ１０８において、制御装置５０は、発熱体１２への通電が行われていなかったら（ステップＳ１０８のＮｏ）、ステップＳ１１０に進み、発熱体１２への通電が行われていたら（ステップＳ１０８のＹｅｓ）、発熱体駆動回路５７により発熱体１２への通電を停止させ（ステップＳ１０９）、ステップＳ１１０に進む。
【００３８】
ステップＳ１１０において、制御装置５０は、洗浄ポンプ駆動回路５４により洗浄ポンプ１３を停止させ（ステップＳ１１０）、排水処理を行う（ステップＳ１１１）。
【００３９】
図７は、本発明の実施の形態１に係る食器洗浄機１の排水処理を示すフローチャートである。
排水処理が開始されると、制御装置５０は、排水ポンプ駆動回路５５により排水ポンプ１６を動作させ、排水を開始する（ステップＳ４０１）。
【００４０】
制御装置５０は、水位検知装置３０からゼロ水位センサ３５がＯＮした信号を受信したら（ステップＳ４０２のＹｅｓ）、排水ポンプ駆動回路５５により排水ポンプ１６の動作を停止させ（ステップＳ４０３）、排水処理を終了させる。
制御装置５０は、排水処理が終了したら、洗浄工程を終了させる。
【００４１】
図８は、本発明の実施の形態１に係る食器洗浄機１のすすぎ工程を示すフローチャートである。
次に、すすぎ工程が開始される（ステップＳ２００）。
すすぎ工程が開始されると、制御装置５０は、洗浄槽３への給水処理を開始する（ステップＳ２０１）。制御装置５０は、洗浄槽３への給水処理が正常終了した後、洗浄ポンプ駆動回路５４により洗浄ポンプ１３を動作させて（ステップＳ２０２）、洗浄ポンプ１３により圧送されたすすぎ用水（洗剤を含まない水）を洗浄ノズル４０から食器かご６に配置された食器類７０に向かって噴射すると共に、計測装置５１により時間の計測を開始する。なお、このすすぎ工程では、発熱体１２への通電は行わず、すすぎ用水を加熱しない。
【００４２】
制御装置５０は、計測装置５１の計測時間が所定の設定時間ｔ２（例えば２分）経過したら、つまり、洗浄ポンプ１３の動作開始から設定時間ｔ２経過したら（ステップＳ２０３のＹｅｓ）、洗浄ポンプ駆動回路５４により洗浄ポンプ１３の動作を停止させ（ステップＳ２０４）、排水処理を行う（ステップＳ２０６）。
制御装置５０は、排水処理が終了したら、すすぎ工程を終了させる。なお、すすぎ工程は、コースによっては複数回繰り返される。
【００４３】
図９は、本発明の実施の形態１に係る食器洗浄機１の加熱すすぎ工程を示すフローチャートである。
次に、すすぎ加熱工程が開始される（ステップＳ３００）。
加熱すすぎ工程が開始されると、制御装置５０は、洗浄槽３への給水処理を開始する（ステップＳ３０１）。制御装置５０は、洗浄槽３への給水処理が正常終了した後、洗浄ポンプ駆動回路５４により洗浄ポンプ１３を動作させて（ステップＳ３０２）、洗浄ポンプ１３により圧送されたすすぎ用水を洗浄ノズル４０から食器かご６に配置された食器類７０に向かって噴射すると共に、計測装置５１により時間の計測を開始する。さらに、制御装置５０は、発熱体駆動回路５７により発熱体１２への通電を開始する（ステップＳ３０３）。
【００４４】
そして、発熱体１２への通電によってすすぎ用水が加熱され、すすぎ用水は所定の基準水温Ｔ２（例えば、６０℃以上）になるまで加熱される（ステップＳ３０５〜Ｓ３０７）。
【００４５】
そして、すすぎ用水が基準水温Ｔ２以上となり（ステップＳ３０５のＹｅｓ）、これを検知した水温検知装置１７から検知信号を制御装置５０が受信したら、制御装置５０は発熱体駆動回路５７により発熱体１２への通電を停止させる（ステップＳ３０６、Ｓ３０７）。
【００４６】
制御装置５０は、計測装置５１の計測時間が所定の設定時間ｔ３（例えば１５分）経過したら、つまり、洗浄ポンプ１３の動作開始から設定時間ｔ３経過したら（ステップＳ３０４のＹｅｓ）、ステップＳ３０８に進む。
【００４７】
ステップＳ３０８において、制御装置５０は、発熱体１２への通電が行われていなかったら（ステップＳ３０８のＮｏ）、ステップＳ３１０に進み、発熱体１２への通電が行われていたら（ステップＳ３０８のＹｅｓ）、発熱体駆動回路５７により発熱体１２への通電を停止させ（ステップＳ３０９）、ステップＳ３１０に進む。
【００４８】
ステップＳ３１０において、制御装置５０は、洗浄ポンプ駆動回路５４により洗浄ポンプ１３を停止させ（ステップＳ３１０）、排水処理を行う（ステップＳ３１１）。
制御装置５０は、排水処理が終了したら、加熱すすぎ工程を終了させる。
以上で食器洗浄機１の洗浄動作が終了となる。
【００４９】
図１０は、本発明の実施の形態１に係る食器洗浄機１の給水処理を示すフローチャートである。
次に、本実施の形態１に係る食器洗浄機１の給水処理（ステップＳ１０１、Ｓ２０１、Ｓ３０１）について説明する。
給水処理が開始されると、制御装置５０は、給水弁駆動回路５３により給水弁１０を開いて（ステップＳ１）、洗浄槽３への給水を開始すると共に、計測装置５１により時間の計測を開始する。
【００５０】
制御装置５０は、水位検知装置３０から規定水位センサ３４がＯＮした信号を受信したら（ステップＳ５のＹｅｓ）、給水弁駆動回路５３により給水弁１０を閉じる（ステップＳ６）。
【００５１】
そして、制御装置５０は、計測装置５１の計測時間が所定の設定時間ｔ５（例えば１０秒）経過していたら、つまり、洗浄槽３への給水を開始してから設定時間ｔ５経過していたら（ステップＳ７のＮｏ）、給水処理を正常終了させる。ここで、設定時間ｔ５は、洗浄槽３への給水を開始後、洗浄槽３内の水位が規定水位に達するまでの時間に比べ、十分に短い時間が設定されている。
【００５２】
一方、制御装置５０は、計測装置５１の計測時間が設定時間ｔ５以内だったら、つまり、洗浄槽３への給水を開始してから設定時間ｔ５以内だったら（ステップＳ７のＹｅｓ）、報知装置４２により異常状態であることをユーザーに報知し（ステップＳ８）、給水処理を異常終了させ、洗浄動作を中止する。
【００５３】
上記のようにすることで、例えば規定水位センサ３４にゴミが付着した場合等、実際は水位が規定水位に達していないにもかかわらず、規定水位センサ３４がＯＮしてしまう、水位検知装置３０の誤検知を判別することができる。
【００５４】
さらに、報知装置４２により異常状態であることをユーザーに報知し、給水処理を異常終了させ、洗浄動作を中止することにより、その後のステップで、洗浄槽３内に水がないにもかかわらず発熱体１２へ通電を開始するのを抑制できる。そのため、洗浄槽３内に水がないにもかかわらず発熱体１２へ通電させることによって生じる不具合を回避できる。
【００５５】
また、制御装置５０は、水位検知装置３０から規定水位センサ３４がＯＮした信号を受信せずに、計測装置５１の計測時間が所定の設定時間ｔ４（例えば１分）経過したら、つまり、洗浄槽３への給水を開始してから設定時間ｔ４経過したら（ステップＳ２のＹｅｓ）、給水弁駆動回路５３により給水弁１０を閉じて（ステップＳ３）、報知装置４２により異常状態であることをユーザーに報知し（ステップＳ４）、給水処理を異常終了させ、洗浄動作を中止する。
【００５６】
上記のようにすることで、何らかの原因で洗浄槽３に水が供給されない場合を判別することができる。さらに、報知装置４２により異常状態であることをユーザーに報知し、給水処理を異常終了させ、洗浄動作を中止することにより、その後のステップで、洗浄槽３内に水がないにもかかわらず発熱体１２への通電を開始するのを抑制できる。そのため、洗浄槽３内に水がないにもかかわらず発熱体１２へ通電させることによって生じる不具合を回避できる。
【００５７】
以上、本実施の形態１に係る食器洗浄機１によれば、制御装置５０は、洗浄動作開始後、水位検知装置３０が、洗浄槽３への給水を開始してから基準時間以内に規定水位を検知した場合、報知装置４２により異常を報知するため、水位検知装置３０の誤検知を判別し、ユーザーに異常状態を報知することができる。
【００５８】
また、制御装置５０は、洗浄動作開始後、水位検知装置３０が、洗浄槽３への給水を開始してから基準時間以内に規定水位を検知した場合、洗浄動作を中止することにより、その後のステップで、洗浄槽３内に水がないにもかかわらず発熱体１２への通電を開始するのを抑制できる。そのため、洗浄槽３内に水がないにもかかわらず発熱体１２へ通電させることによって生じる不具合を回避できる。
【００５９】
実施の形態２．
以下、本発明の実施の形態２について説明するが、実施の形態１と重複するものについては説明を省略し、実施の形態１と同じ部分または相当する部分には同じ符号を付す。
【００６０】
図１１は、本発明の実施の形態２に係る食器洗浄機１の給水処理を示すフローチャートである。
以下、本実施の形態２に係る食器洗浄機１の給水処理（ステップＳ１０１、Ｓ２０１、Ｓ３０１）について説明する。
なお、ステップＳ１〜ステップＳ４については実施の形態１と同様であるため、説明を省略する。
【００６１】
制御装置５０は、水位検知装置３０から規定水位センサ３４がＯＮした信号を受信したら（ステップＳ５のＹｅｓ）、給水弁駆動回路５３により給水弁１０を閉じる（ステップＳ６）。
【００６２】
そして、制御装置５０は、計測装置５１の計測時間が所定の設定時間ｔ５（例えば１０秒）経過していたら、つまり、洗浄槽３への給水を開始してから設定時間ｔ５経過していたら（ステップＳ７のＮｏ）、給水処理を正常終了させる。ここで、設定時間ｔ５は、洗浄槽３への給水を開始後、洗浄槽３内の水位が規定水位に達するまでの時間に比べ、十分に短い時間が設定されている。
【００６３】
一方、制御装置５０は、計測装置５１の計測時間が設定時間ｔ５以内だったら、つまり、洗浄槽３への給水を開始してから設定時間ｔ５以内だったら（ステップＳ７のＹｅｓ）、ステップＳ１４に進む。
【００６４】
ステップＳ１４において、制御装置５０は、所定の設定回数（例えば２回）洗浄槽３への給水のやり直し（以下、給水リトライとも称する）を行っていない場合（ステップＳ１４のＮｏ）、排水処理を行った後（ステップＳ１５）、再度、給水弁駆動回路５３により給水弁１０を開いて（ステップＳ１）、洗浄槽３への給水を開始すると共に、計測装置５１により今までの計測をリセット後、再び時間の計測を開始する。つまり、制御装置５０は、再び洗浄槽３への給水を行う。また、制御装置５０は、給水リトライを行う際に、記憶装置５２に記憶されている給水リトライ回数を１加算する。
【００６５】
その後、制御装置５０は、設定回数給水リトライを行った場合（ステップＳ１４のＹｅｓ）、報知装置４２により異常状態であることをユーザーに報知し（ステップＳ８）、給水処理を異常終了させ、洗浄動作を中止する。
【００６６】
以上、本実施の形態２に係る食器洗浄機１によれば、洗浄動作開始後、水位検知装置３０が、洗浄槽３への給水を開始してから基準時間以内に規定水位を検知した場合、給水リトライを行う。給水リトライを行うことにより、例えば規定水位センサ３４にゴミが付着した場合等の状態が解消される場合があり、水位検知装置３０を誤検知しない正常状態に戻すことができる。
【００６７】
実施の形態３．
以下、本発明の実施の形態３について説明するが、実施の形態１および２と重複するものについては説明を省略し、実施の形態１および２と同じ部分または相当する部分には同じ符号を付す。
【００６８】
図１２は、本発明の実施の形態３に係る食器洗浄機１の概略構成を示す右側方から見た第１の断面図であり、図１３は、本発明の実施の形態３に係る食器洗浄機１の食器かご６および洗剤入れ６０を示す斜視図である。
図１２および図１３に示すように、本実施の形態３に係る食器洗浄機１は、洗浄槽３内に収容された食器かご６の上に洗剤入れ６０が載置されている。この洗剤入れ６０は、洗浄槽３への給水中に直接水がかからない位置に配置されている。
【００６９】
図１４ａは、本発明の実施の形態３に係る洗剤入れ６０の概略構成を平面視した図であり、図１４ｂは、本発明の実施の形態３に係る洗剤入れ６０の概略構成を側方から見た図である。
図１４ａおよび図１４ｂに示すように、洗剤入れ６０は、上面が開口したほぼ箱体形状を有しており、その底面には、底面を半分に区切る突起形状の区切り部６１が設けられている。また、区切り部６１によって区切られた底面の一方には、洗剤が載置される載置部６２が設けられており、底面の他方には、網目形状が形成された網目部６３が設けられている。
【００７０】
なお、網目部６３は、本発明の「穴部」に相当する。
【００７１】
本実施の形態３では、ユーザーは洗浄を開始する前、洗浄槽３内に適量の洗剤を入れる際に、洗浄槽３内に設けられた洗剤入れ６０の載置部６２に洗剤を載置する。このとき、区切り部６１により、載置部６２に載置された洗剤が網目部６３から落下しないようになっている。そして、給水処理時に洗浄槽３へ給水されると、網目部６３から洗剤入れ６０内に水が浸入し、載置部６２に載置された洗剤が水に溶け、網目部６３から洗剤入れ６０外に流出するようになっている。
【００７２】
ここで、ユーザーが洗浄槽３内に直接洗剤を入れた場合、実施の形態２で説明した給水リトライを行った際に、排水処理時に水と共に洗剤も洗浄槽３から排出されてしまう。しかし、本実施の形態３のように、ユーザーが洗浄槽３内に設けられた洗剤入れ６０の載置部６２に洗剤を載置することで、実施の形態２で説明した給水リトライを行っても、排水処理時に水と共に洗剤も洗浄槽３から排出されてしまうのを抑制することができる。
【００７３】
図１５は、本発明の実施の形態３に係る食器洗浄機１の概略構成を示す右側方から見た第２の断面図である。
上記では、洗浄槽３内に収容された食器かご６の上に洗剤入れ６０が載置されていると説明したが、それに限定されず、図１５に示すように、洗浄槽３内の側壁部に洗剤入れ６０を固定した構造にしてもよい。この場合、洗浄槽３への給水中に直接水がかからず、かつ、網目部６３から洗剤入れ６０内に水が浸入し、載置部６２に載置された洗剤が水に溶け、網目部６３から洗剤入れ６０外に流出する位置に設けるとよい。
【００７４】
以上、本実施の形態３に係る食器洗浄機１によれば、洗浄槽３内に洗剤入れ６０が設けられている。そのため、ユーザーは洗浄を開始する前、洗浄槽３内に適量の洗剤を入れる際に、洗剤入れ６０の載置部６２に洗剤を載置することで、実施の形態２で説明した給水リトライを行っても、排水処理時に水と共に洗剤も洗浄槽３から排出されてしまうのを抑制することができる。
【００７５】
なお、本実施の形態３では、洗剤入れ６０がほぼ箱体形状を有しているとしたが、それに限定されず、他の形状でもよい。また、洗剤入れ６０は、底面に網目形状が形成された網目部６３を有する構造としたが、それに限定されず、内部に水が浸入する穴が形成された構造であれば他の形状でもよい。
【００７６】
実施の形態４．
以下、本発明の実施の形態４について説明するが、実施の形態１〜３と重複するものについては説明を省略し、実施の形態１〜３と同じ部分または相当する部分には同じ符号を付す。
【００７７】
図１６は、本発明の実施の形態４に係る食器洗浄機１の洗浄工程を示すフローチャートである。
以下、本実施の形態４に係る食器洗浄機１の洗浄工程（ステップＳ１００）について説明する。
洗浄工程が開始されると、制御装置５０は、洗浄槽３への給水処理を開始する（ステップＳ２１）。
【００７８】
図１７は、本発明の実施の形態４に係る食器洗浄機１の給水処理を示すフローチャートである。
なお、ステップＳ１〜ステップＳ４については実施の形態１と同様であるため、説明を省略する。
【００７９】
制御装置５０は、水位検知装置３０から規定水位センサ３４がＯＮした信号を受信したら（ステップＳ５のＹｅｓ）、給水弁駆動回路５３により給水弁１０を閉じる（ステップＳ６）。
【００８０】
そして、制御装置５０は、計測装置５１の計測時間が所定の設定時間ｔ５（例えば１０秒）経過していたら、つまり、洗浄槽３への給水を開始してから設定時間ｔ５経過していたら（ステップＳ７のＮｏ）、給水処理を正常終了させる。ここで、設定時間ｔ５は、洗浄槽３への給水を開始後、洗浄槽３内の水位が規定水位に達するまでの時間に比べ、十分に短い時間が設定されている。
【００８１】
一方、制御装置５０は、計測装置５１の計測時間が設定時間ｔ５以内だったら、つまり、洗浄槽３への給水を開始してから設定時間ｔ５以内だったら（ステップＳ７のＹｅｓ）、発熱体ＯＦＦフラグをセットし（ステップＳ２３）、給水処理を正常終了させる。なお、発熱体ＯＦＦフラグは、記憶装置５２に記憶されている。
【００８２】
制御装置５０は、洗浄槽３への給水処理が正常終了した後、洗浄ポンプ駆動回路５４により洗浄ポンプ１３を動作させて（ステップＳ１０２）、洗浄ポンプ１３により圧送された洗浄用水（洗剤を含んだ水）を洗浄ノズル４０から食器かご６に配置された食器類７０に向かって噴射すると共に、計測装置５１により時間の計測を開始する。
【００８３】
そして、制御装置５０は、発熱体ＯＦＦフラグがセットされていなかったら（ステップＳ２２のＮｏ）、発熱体駆動回路５７により発熱体１２への通電を開始する（ステップＳ１０３）、ステップＳ１０４へ進む。
一方、制御装置５０は、発熱体ＯＦＦフラグがセットされていたら（ステップＳ２２のＹｅｓ）、発熱体駆動回路５７により発熱体１２への通電を開始することなく、ステップＳ１０４へ進む。
【００８４】
なお、ステップＳ１０４〜ステップＳ１１１については実施の形態１と同様であるため、説明を省略する。
【００８５】
以上、本実施の形態３に係る食器洗浄機１によれば、洗浄動作開始後、洗浄工程において、水位検知装置３０が、洗浄槽３への給水を開始してから基準時間以内に規定水位を検知した場合、発熱体１２への通電を開始することなく、その後の洗浄工程を行う。そうすることで、洗浄工程を継続しつつも、洗浄槽３内に水がないにもかかわらず発熱体１２に通電させるのを抑制できる。そのため、洗浄槽３内に水がないにもかかわらず発熱体１２へ通電させることによって生じる不具合を回避できる。
【００８６】
実施の形態５．
以下、本発明の実施の形態５について説明するが、実施の形態１〜４と重複するものについては説明を省略し、実施の形態１〜４と同じ部分または相当する部分には同じ符号を付す。
【００８７】
図１８は、本発明の実施の形態５に係る食器洗浄機１の洗浄工程を示すフローチャートである。
以下、本実施の形態５に係る食器洗浄機１の洗浄工程（ステップＳ１００）について説明する。
洗浄工程が開始されると、制御装置５０は、洗浄槽３への給水処理を開始する（ステップＳ２１）。
【００８８】
なお、給水処理（ステップＳ２１）については実施の形態４と同様であるため、説明を省略する。
【００８９】
制御装置５０は、洗浄槽３への給水処理が正常終了した後、洗浄ポンプ駆動回路５４により洗浄ポンプ１３を動作させて（ステップＳ１０２）、洗浄ポンプ１３により圧送された洗浄用水（洗剤を含んだ水）を洗浄ノズル４０から食器かご６に配置された食器類７０に向かって噴射すると共に、計測装置５１により時間の計測を開始する。
【００９０】
そして、制御装置５０は、発熱体ＯＦＦフラグがセットされていなかったら（ステップＳ２２のＮｏ）、発熱体駆動回路５７により発熱体１２への通電を開始し（ステップＳ１０３）、ステップＳ１０４へ進む。
一方、制御装置５０は、発熱体ＯＦＦフラグがセットされていたら（ステップＳ２２のＹｅｓ）、発熱体駆動回路５７により発熱体１２への通電を開始することなく、計測装置５１の計測時間が所定の設定時間ｔ６（例えば３０分）経過するまで洗浄ポンプ１３を動作させる（ステップＳ３１）。ここで、設定時間ｔ６は、設定時間ｔ１よりも長い時間が設定されている。
【００９１】
そして、制御装置５０は、計測装置５１の計測時間が設定時間ｔ６経過したら、つまり、洗浄ポンプ１３の動作開始から設定時間ｔ６経過したら（ステップＳ３１のＹｅｓ）、ステップＳ１０８に進む。
【００９２】
ステップＳ１０８において、制御装置５０は、発熱体１２への通電が行われていなかったら（ステップＳ１０８のＮｏ）、ステップＳ１１０に進み、発熱体１２への通電が行われていたら（ステップＳ１０８のＹｅｓ）、発熱体駆動回路５７により発熱体１２への通電を停止させ（ステップＳ１０９）、ステップＳ１１０に進む。
【００９３】
ステップＳ１１０において、制御装置５０は、洗浄ポンプ駆動回路５４により洗浄ポンプ１３を停止させ（ステップＳ１１０）、排水処理を行う（ステップＳ１１１）。
【００９４】
なお、ステップＳ１０４〜ステップＳ１０７については実施の形態１と同様であるため、説明を省略する。
【００９５】
ここで、発熱体１２への通電を開始することなく洗浄を行った場合、つまり洗浄用水を加熱せずに洗浄を行った場合、洗浄用水を加熱して洗浄を行った場合に比べて洗浄性能が低下する。
【００９６】
そこで、本実施の形態５に係る食器洗浄機１によれば、洗浄動作開始後、洗浄工程において、水位検知装置３０が、洗浄槽３への給水を開始してから基準時間以内に規定水位を検知した場合、洗浄槽３への給水を開始してから基準時間が経過した後に規定水位を検知した場合によりも、洗浄ポンプ１３の動作時間を長くする。そうすることで、洗浄時間を長くすることができ、洗浄性能を高めることができる。
【００９７】
実施の形態６．
以下、本発明の実施の形態６について説明するが、実施の形態１〜５と重複するものについては説明を省略し、実施の形態１〜５と同じ部分または相当する部分には同じ符号を付す。
【００９８】
図１９は、本発明の実施の形態６に係る食器洗浄機１のすすぎ工程を示すフローチャートである。
以下、本実施の形態６に係る食器洗浄機１のすすぎ工程（ステップＳ２００）について説明する。
実施の形態４で説明した洗浄工程が終了後、すすぎ工程が開始される。
すすぎ工程が開始されると、制御装置５０は、洗浄槽３への第２給水処理を開始する（ステップＳ２０１）。
【００９９】
図２０は、本発明の実施の形態６に係る食器洗浄機１の第２給水処理を示すフローチャートである。
第２給水処理が開始されると、制御装置５０は、給水弁駆動回路５３により給水弁１０を開いて（ステップＳ５０１）、洗浄槽３への給水を開始すると共に、計測装置５１により時間の計測を開始する。
【０１００】
制御装置５０は、水位検知装置３０から規定水位センサ３４がＯＮした信号を受信したら（ステップＳ５０５のＹｅｓ）、給水弁駆動回路５３により給水弁１０を閉じる（ステップＳ５０６）。
【０１０１】
そして、制御装置５０は、計測装置５１の計測時間が設定時間ｔ５以内だったら（ステップＳ５０７のＹｅｓ）、給水処理を正常終了させる。
一方、制御装置５０は、計測装置５１の計測時間が所定の設定時間ｔ５（例えば１０秒）経過していたら、つまり、洗浄槽３への給水を開始してから設定時間ｔ５経過していたら（ステップＳ５０７のＮｏ）、ステップＳ５０８に進む。ここで、設定時間ｔ５は、洗浄槽３への給水を開始後、洗浄槽３内の水位が規定水位に達するまでの時間に比べ、十分に短い時間が設定されている。
【０１０２】
ステップＳ５０８において、制御装置５０は、発熱体ＯＦＦフラグがセットされていたら（ステップＳ５０８のＹｅｓ）、復旧フラグをセットし（ステップＳ５０９）、給水処理を正常終了させる。
一方、制御装置５０は、発熱体ＯＦＦフラグがセットされていなかったら（ステップＳ５０８のＮｏ）、復旧フラグをセットせずに、給水処理を正常終了させる。
【０１０３】
また、制御装置５０は、水位検知装置３０から規定水位センサ３４がＯＮした信号を受信せずに、計測装置５１の計測時間が所定の設定時間ｔ４（例えば１分）経過したら、つまり、洗浄槽３への給水を開始してから設定時間ｔ４経過したら（ステップＳ５０２のＹｅｓ）、給水弁駆動回路５３により給水弁１０を閉じて、報知装置４２により異常状態であることをユーザーに報知し（ステップＳ５０４）、給水処理を異常終了させる。
【０１０４】
洗浄槽３への第２給水処理が正常終了した後、制御装置５０は、復旧フラグがセットされていたら（ステップＳ４２のＹｅｓ）、洗浄工程に戻る（ステップＳ４３）。
一方、制御装置５０は、復旧フラグがセットされていなかったら（ステップＳ４２のＮｏ）、ステップＳ２０２に進む。
【０１０５】
なお、ステップＳ２０２〜ステップＳ２０５については実施の形態１と同様であるため、説明を省略する。
【０１０６】
以上、本実施の形態６に係る食器洗浄機１によれば、洗浄動作開始後、洗浄工程において、水位検知装置３０が、洗浄槽３への給水を開始してから基準時間以内に規定水位を検知し、その後のすすぎ工程において、水位検知装置３０が、洗浄槽３への給水を開始してから基準時間が経過した後に規定水位を検知した場合、洗浄工程に戻って最初から洗浄動作をやり直す。このように、洗浄動作の途中で水位検知装置３０が正常状態に戻った場合、最初から洗浄動作をやり直すことで、より確実に食器類７０の洗浄を行うことができる。
【０１０７】
実施の形態７．
以下、本発明の実施の形態７について説明するが、実施の形態１〜６と重複するものについては説明を省略し、実施の形態１〜６と同じ部分または相当する部分には同じ符号を付す。
【０１０８】
図２１は、本発明の実施の形態７に係る食器洗浄機１の給水処理を示すフローチャートである。
以下、本実施の形態７に係る食器洗浄機１の給水処理（ステップＳ１０１、Ｓ２０１、Ｓ３０１）について説明する。
なお、ステップＳ１〜ステップＳ４については実施の形態１と同様であるため、説明を省略する。
【０１０９】
制御装置５０は、水位検知装置３０から規定水位センサ３４がＯＮした信号を受信したら（ステップＳ５のＹｅｓ）、給水弁駆動回路５３により給水弁１０を閉じる（ステップＳ６）。
【０１１０】
そして、制御装置５０は、計測装置５１の計測時間が設定時間ｔ７（例えば１５秒）以内だったら、つまり、洗浄槽３への給水を開始してから設定時間ｔ７以内だったら（ステップＳ５１のＮｏ）、ステップＳ２に戻る。ここで、設定時間ｔ７は、洗浄槽３への給水を開始後、洗浄槽３内の水位が規定水位に達するまでに最低限かかる時間が設定されている。
【０１１１】
一方、制御装置５０は、計測装置５１の計測時間が設定時間ｔ７経過していたら、つまり、洗浄槽３への給水を開始してから設定時間ｔ７経過していたら（ステップＳ５１のＹｅｓ）、給水弁駆動回路５３により給水弁１０を閉じて（ステップＳ５２）、給水処理を正常終了させる。
【０１１２】
以上、本実施の形態７に係る食器洗浄機１によれば、洗浄動作開始後、水位検知装置３０が、洗浄槽３への給水を開始してから基準時間以内に規定水位を検知した場合、水位検知装置３０が誤検知しているものと見なして水位検知装置３０による検知を無効とする。そして、基準時間が経過するまで洗浄槽３への給水を継続し、水位検知装置３０が、洗浄槽３への給水を開始してから基準時間が経過した後に規定水位を検知した場合、洗浄槽３への給水を停止する。そうすることで、水位検知装置３０が誤検知した場合でも洗浄槽３に水を供給することができるため、洗浄槽３内に水がないにもかかわらず発熱体１２へ通電させることによって生じる不具合を回避できる。
【０１１３】
実施の形態８．
以下、本発明の実施の形態８について説明するが、実施の形態１〜７と重複するものについては説明を省略し、実施の形態１〜７と同じ部分または相当する部分には同じ符号を付す。
【０１１４】
図２２は、本発明の実施の形態８に係る食器洗浄機１の給水処理を示すフローチャートである。
以下、本実施の形態８に係る食器洗浄機１の給水処理（ステップＳ１０１、Ｓ２０１、Ｓ３０１）について説明する。
なお、ステップＳ１〜ステップＳ４については実施の形態１と同様であるため、説明を省略する。
【０１１５】
制御装置５０は、水位検知装置３０から規定水位センサ３４がＯＮした信号を受信したら（ステップＳ５のＹｅｓ）、ステップＳ５１に進む。
【０１１６】
ステップＳ５１において、制御装置５０は、計測装置５１の計測時間が設定時間ｔ７（例えば１５秒）以内だったら、つまり、洗浄槽３への給水を開始してから設定時間ｔ７以内だったら（ステップＳ５１のＮｏ）、ステップＳ２に戻る。ここで、設定時間ｔ７は、洗浄槽３への給水を開始後、洗浄槽３内の水位が規定水位に達するまでに最低限かかる時間が設定されている。
【０１１７】
一方、制御装置５０は、計測装置５１の計測時間が設定時間ｔ７経過していたら、つまり、洗浄槽３への給水を開始してから設定時間ｔ７経過していたら（ステップＳ５１のＹｅｓ）、給水弁駆動回路５３により給水弁１０を閉じる（ステップＳ５２）。
【０１１８】
そして、制御装置５０は、水位検知装置３０が、洗浄槽３への給水を開始してから規定水位を検知するまでの時間ｔｎを記憶装置５２に保存し（ステップＳ６１）、給水処理を正常終了させる。
【０１１９】
図２３は、本発明の実施の形態８に係る食器洗浄機１の洗浄動作を示すフローチャートである。
そして、次回の洗浄動作が開始したら、制御装置５０は、過去の洗浄動作時に記憶装置５２に保存された時間ｔｎに基づいて設定時間ｔ７を算出し（ステップＳ６２）、その算出した設定時間ｔ７を用いて洗浄工程（ステップＳ１００）、すすぎ工程（ステップＳ２００）、加熱すすぎ工程（ステップＳ３００）を行う。
【０１２０】
なお、設定時間ｔ７の算出方法としては、例えば過去複数回分の時間ｔｎの平均値を設定時間ｔ７とする等である。
【０１２１】
以上、本実施の形態８に係る食器洗浄機１によれば、過去の洗浄動作時に記憶装置５２に保存された時間ｔｎに基づいて設定時間ｔ７を算出することで、適切な設定時間ｔ７を用いて洗浄動作を行うことができる。
【符号の説明】
【０１２２】
１  食器洗浄機、２  筐体、３  洗浄槽、３ａ  凹部、４  内蓋、５  扉、５ａ  扉排気口、６  食器かご、７  操作部、８ａ  電源スイッチ、８ｂ  運転スイッチ、８ｃ  扉開閉スイッチ、１０  給水弁、１２  発熱体、１３  洗浄ポンプ、１５  操作パネル、１６  排水ポンプ、１６ａ  排水配管、１７  水温検知装置、１８  保持機構、１９  軸部、２１  固定レール、２２  送風ファン、２６  扉開閉検知装置、２９  フロート室、３０  水位検知装置、３１  磁石、３２  フロート、３３  案内部材、３４  規定水位センサ、３５  ゼロ水位センサ、４０  洗浄ノズル、４１  表示部、４２  報知装置、５０  制御装置、５１  計測装置、５２  記憶装置、５３  給水弁駆動回路、５４  洗浄ポンプ駆動回路、５５  排水ポンプ駆動回路、５６  送風ファン駆動回路、５７  発熱体駆動回路、５８  表示部駆動回路、６０  洗剤入れ、６１  区切り部、６２  載置部、６３  網目部、７０  食器類。
【図１】
2020110716.tif 000003
【図２】
2020110716.tif 000004
【図３】
2020110716.tif 000005
【図４】
2020110716.tif 000006
【図５】
2020110716.tif 000007
【図６】
2020110716.tif 000008
【図７】
2020110716.tif 000009
【図８】
2020110716.tif 000010
【図９】
2020110716.tif 000011
【図１０】
2020110716.tif 000012
【図１１】
2020110716.tif 000013
【図１２】
2020110716.tif 000014
【図１３】
2020110716.tif 000015
【図１４ａ】
2020110716.tif 000016
【図１４ｂ】
2020110716.tif 000017
【図１５】
2020110716.tif 000018
【図１６】
2020110716.tif 000019
【図１７】
2020110716.tif 000020
【図１８】
2020110716.tif 000021
【図１９】
2020110716.tif 000022
【図２０】
2020110716.tif 000023
【図２１】
2020110716.tif 000024
【図２２】
2020110716.tif 000025
【図２３】
2020110716.tif 000026